(57)【要約】【課題】載置された原稿の表裏面や原稿の上下左右の向きに関係なく、読み取った画像から点字を正しく認識できるようにする。【解決手段】読取部１は、原稿台に載置された、表面に点字が形成された原稿を読み取る。処理部２は、読取画像から点字に対応する輝度を有する画素の出現度数を算出し、読取画像が原稿の表面か裏面かを判断する。次に、処理部２は、読取画像を原稿の４辺に応じて複数の領域に分割し、各領域に位置する点字の画像をカウントする。処理部２は、点字が少ない領域内に行末があるとして、原稿の向きを判断する。処理部２は、原稿の向きに応じて読取画像を回転し、読取画像が裏面の画像のとき、読取画像を鏡像反転する。載置された原稿の表裏面や向きに関係なく、読取画像から認識可能なように横書きされた点字の画像が得られる。【選択図】図１
2010081402.tif 000002
【特許請求の範囲】
【請求項１】
原稿台に載置された原稿を読み取る読取部と、片面に点字が形成された原稿の読取画像から点字を認識して、墨字に変換する処理部とを備え、処理部は、読取画像から原稿の載置状態を判断し、点字を認識できるように判断結果に基づいて読取画像に対する画像処理を行うことを特徴とする点字処理装置。
【請求項２】
処理部は、読み取った点字が横書きになるように、載置された原稿の表裏面および原稿の向きに応じて読取画像を鏡像反転あるいは回転させることを特徴とする請求項１記載の点字処理装置。
【請求項３】
読取部は、原稿台に載置された原稿を読み取り、処理部は、点字の形成された表面を読み取ったか、あるいは点字の形成されていない裏面を読み取ったかを判断し、裏面を読み取ったとき、読取画像を鏡像反転することを特徴とする請求項２記載の点字処理装置。
【請求項４】
処理部は、読取画像の行末を特定して、原稿の向きを判断し、原稿の向きに応じて読取画像を回転することを特徴とする請求項２または３記載の点字処理装置。
【請求項５】
処理部は、読取画像を構成する画素の輝度に基づいて、点字に対応する輝度を有する画素の出現度数を算出し、表面か裏面かを判断することを特徴とする請求項１〜４のいずれかに記載の点字処理装置。
【請求項６】
処理部は、点字に対する画素の輝度より低い輝度の画素の出現度数をカウントし、出現度数が所定値以上あるとき、表面を読み取ったと判断することを特徴とする請求項５記載の点字処理装置。
【請求項７】
処理部は、点字に対する画素の輝度より高い輝度の画素の出現度数をカウントし、出現度数が所定値以上あるとき、裏面を読み取ったと判断することを特徴とする請求項５記載の点字処理装置。
【請求項８】
処理部は、読取原稿から点字の画像の位置を検出し、横書きされた点字の行末を特定することを特徴とする請求項４〜７のいずれかに記載の点字処理装置。
【請求項９】
処理部は、原稿の４辺に近い点字の画像を検出し、点字の画像が少ない１辺に向かって横書きされていると判断し、行末を特定することを特徴とする請求項８記載の点字処理装置。
【請求項１０】
読取画像から得られた墨字は、印刷、音声あるいはデータ送信のいずれかによって出力されることを特徴とする請求項１〜９のいずれかに記載の点字処理装置。
【発明の詳細な説明】
【技術分野】
【０００１】
本発明は、点字が形成された原稿を読み取って、墨字に変換して出力する点字処理装置に関する。
【背景技術】
【０００２】
点字は、シートの表面に点を所定のパターンで並べることにより形成される。点字は横書きとされる。このような点字が形成された原稿から点字を読み取り、自動的に点字を認識することが特許文献１に記載されている。
【０００３】
また、特許文献２には、原稿台に載置された原稿から画像を読み取り、読取画像から点字を認識して、墨字に変換することが記載されています。点字が形成された原稿から得られた墨字は、印刷して出力される。
【特許文献１】特開平９−１８３２５８号公報
【特許文献２】特開２００１−３４７０６号公報
【発明の開示】
【発明が解決しようとする課題】
【０００４】
点字を正しく認識するためには、点字が形成された原稿の表面を下向きにして、原稿を原稿台に載置しなければならない。点字が形成されていない原稿の裏面を下向きにして、原稿を載置したとき、原稿の凹凸が逆になるので、点字を正確に認識することができなくなる。
【０００５】
また、原稿台に対して、原稿を決められた向きにセットすれば、横書きの点字を正確に認識できる。しかし、原稿を原稿台にセットしたとき、原稿の左右の向きが逆であったり、上下の向きが逆であると、点字として読み取ることができず、点字が認識されない。このように、原稿の表面の向きや原稿の上下左右の向きといった原稿の載置状態は常に一定ではなく、読取画像から点字を認識するのに支障を来す。
【０００６】
本発明は、上記に鑑み、原稿の表裏面や原稿の上下左右の向きに関係なく、読み取った画像から点字を正しく認識することができる点字処理装置の提供を目的とする。
【課題を解決するための手段】
【０００７】
本発明は、原稿台に載置された原稿を読み取る読取部と、片面に点字が形成された原稿の読取画像から点字を認識して、墨字に変換する処理部とを備えたものである。処理部は、読取画像から原稿の載置状態を判断し、点字を認識できるように判断結果に基づいて読取画像に対する画像処理を行う。そして、処理部は、読み取った点字を墨字に変換する。読取画像から得られた墨字は、印刷、音声あるいはデータ送信のいずれかによって出力される。
【０００８】
ユーザが原稿を原稿台に載置したとき、原稿の載置状態は一定ではない。そこで、読取画像から原稿の載置状態を判断することにより、点字の画像が左右逆になっているのかわかるとともに、画像の向きがわかる。処理部が読取画像に対して画像処理を施すことにより、読取画像が左右逆にされたり、読取画像の向きが修正され、認識可能な点字の画像が得られる。
【０００９】
すなわち、処理部は、読み取った点字が横書きになるように、原稿の表裏面および原稿の向きといった載置状態に応じて読取画像を鏡像反転あるいは回転させる。原稿の表裏面に対しては、鏡像反転が行われる。反対向きで読み取られた画像は、画像処理により、左右逆となり、正しく点字を読み取ることができる。原稿の向きに対しては、回転が行われる。例えば、横書きの画像が縦になっていても、読取画像が回転されることにより、読取画像が横向きとなり、点字を正しく認識することができる。
【００１０】
読取部は、原稿台に載置された原稿を読み取り、処理部は、点字の形成された表面を読み取ったか、あるいは点字の形成されていない裏面を読み取ったかを判断し、裏面を読み取ったとき、読取画像を鏡像反転する。表面を読み取ったときには、鏡像反転は行われない。
【００１１】
処理部は、読取画像の行末を特定して、原稿の向きを判断し、原稿の向きに応じて読取画像を回転する。行末の位置から横書きされた原稿の向きがわかる。縦置きすべき原稿が横置きされた場合でも、読取画像の回転により、正しく認識できる横書きの読取画像となる。
【００１２】
処理部は、読取画像を構成する画素の輝度に基づいて、点字に対応する輝度を有する画素の出現度数を算出し、表面か裏面かを判断する。表面の読取画像と裏面の読取画像とでは、点字の画像の白黒が逆となり、かつ左右も逆となる。そのため、表面の読取画像において、点字の画像の輝度は高く、裏面の読取画像において、点字の画像の輝度は低い。この違いによって、表面か裏面かを識別できる。
【００１３】
処理部は、点字に対する画素の輝度より低い輝度の画素の出現度数をカウントし、出現度数が所定値以上あるとき、表面を読み取ったと判断する。また、処理部は、点字に対する画素の輝度より高い輝度の画素の出現度数をカウントし、出現度数が所定値以上あるとき、裏面を読み取ったと判断する。
【００１４】
処理部は、読取原稿から点字の画像の位置を検出し、横書きされた点字の行末を特定する。点字の行頭はほぼ揃っているのに対し、行末は１行毎に異なる。したがって、点字の画像の位置を検出して、点字の画像の分布を調べることにより、画像の粗密がわかる。画像の分布が粗になっている箇所が行末である。
【００１５】
処理部は、原稿の４辺に近い点字の画像を検出し、点字の画像が少ない１辺に向かって横書きされていると判断し、行末を特定する。点字の行末は４辺のうち、いずれかの１辺に対応している。各辺に対応する箇所の画像の粗密を調べることにより、行末に対応する１辺がわかり、行末が特定される。
【発明の効果】
【００１６】
本発明によると、原稿台に対する原稿の表裏面の向きおよび原稿の左右前後の向きといった原稿の載置状態に応じて、読取画像を鏡像反転あるいは回転することにより、点字を識別可能な画像が得られる。したがって、原稿の載置状態にかかわらず、読取画像から点字を正しく認識することができる。
【発明を実施するための最良の形態】
【００１７】
本実施形態の点字処理装置を図１に示す。点字処理装置は、原稿を読み取る読取部１と、読み取った画像から点字を認識して、墨字に変換する処理部２とを備えている。そして、処理部２は、点字が形成された原稿から得られた墨字を外部に出力する。
【００１８】
点字処理装置は、プリンタ３、音響装置４、通信装置５を有している。すなわち、点字処理装置は、音声機能付きの複合機である。プリンタ３は、墨字を印刷して出力する。音響装置４は、アンプ、スピーカを備えており、音声で出力する。通信装置５は、ＮＩＣあるいはモデムを有し、ＮＩＣによりネットワークを通じてパソコン等の外部装置にデータ送信したり、モデムにより電話回線を通じてファクシミリ機にファクシミリ通信する。
【００１９】
読取部１は、光源、ミラー、ＣＣＤからなり、原稿を載置する原稿台を有する。読取部１は、原稿台に光を照射して、原稿からの反射光を受光することにより、画像を読み取る。処理部２は、ＣＰＵ、メモリ等を有し、読取部１を含む装置全体の動作を制御する。そして、処理部２は、点字が形成された原稿を読み取って出力する点字処理モードを実行する。なお、点字が形成されていない原稿を読み取って出力する通常モードも実行可能である。
【００２０】
ここで、点字は、原稿の片面、すなわち表面に形成され、原稿に対して左から右に向かう横書きとされる。原稿の裏面には点字が形成されない。ユーザがこのような原稿を原稿台１０に載置するとき、図２に示すように、原稿１１の表面Ａを下向きにして原稿１１を載置する場合と、図３に示すように、原稿１１の裏面Ｂを下向きにして原稿１１を載置する場合とがある。
【００２１】
図２（ａ）のように、原稿１１の表面Ａが下向きのとき、点字の凸部１２が原稿台１０に接触する。読取部１は、原稿１１の表面Ａを読み取る。読み取った画像は、図２（ｂ）に示すように、点字は白く現れる。このとき、図２（ｃ）に示すように、点字に対する画素の輝度は、点字以外の背景部分の画素の輝度より高い。点字の画素の輝度は、輝度閾値１を超える。また、表面に対する点字の画像と裏面に対する点字の画像とは左右逆になる。
【００２２】
図３（ａ）のように、原稿１１の裏面Ｂが下向きのとき、点字の凸部１２は原稿台１０から離れる。読取部１は、原稿１１の裏面Ｂを読み取り、読み取った画像は、図３（ｂ）に示すように、点字は黒く現れる。このとき、図３（ｃ）に示すように、点字に対する画素の輝度は、点字以外の背景部分の画素の輝度より低い。点字の画素の輝度は、輝度閾値２未満である。なお、輝度閾値１＞輝度閾値２である。
【００２３】
また、ユーザは、原稿を決められた向きに必ずセットするとは限らない。例えば、原稿は、原稿台に縦置きあるいは横置きされる。このように、原稿台に載置される原稿の上下左右の向きは、常に一定の向きにはならない。
【００２４】
したがって、原稿が原稿台に載置されたとき、原稿の表裏面および原稿の向きといった原稿の載置状態を考慮して、読取画像から点字を認識しなければならない。そこで、処理部２は、読み取られた画像から原稿の載置状態を判断し、この判断結果に基づいて読取画像に対する画像処理を行う。そして、処理後の画像から点字を認識して、墨字に変換し、指示された出力を行う。このように、読取画像から原稿の表裏面および原稿の向きを特定することにより、正しい向きになった読取画像が得られ、正しく点字を認識できる。
【００２５】
この原稿読取処理を図４にしたがって説明する。ユーザが、表面に点字が形成された原稿を原稿台に載置する。原稿には、点字以外に他の画像は形成されていない。このとき、原稿の状態は不明である。すなわち、原稿の表面の向きおよび原稿の向きは一定ではない。読取部１は、原稿台上の原稿を読み取り（Ｓ１）、読み取った画像を処理部２に出力する。
【００２６】
処理部２は、点字処理モードを実行し、読み取った画像が原稿の表面であるか裏面であるかを判断する。すなわち、処理部２は、読取画像の輝度に基づいて原稿の表裏面を判断する。そのために、読取画像の各画素の輝度を検出し、０〜２５５の輝度毎に画素をカウントする。そして、輝度毎に画素の出現度数を表すヒストグラムを作成する（Ｓ２）。
【００２７】
処理部２は、点字に対する画素の輝度の出現度数と背景部分に対する画素の輝度の出現度数とを比べて、表面を読み取ったか裏面を読み取ったかを判断する（Ｓ３）。原稿の表面を読み取った場合、図５（ａ）に示すようなヒストグラムとなる。点字以外の画像に対する画素、すなわち背景部分の画素の輝度は、点字に対する画素の輝度より低い。原稿の裏面を読み取った場合、図５（ｂ）に示すようなヒストグラムとなる。背景部分の画素の輝度は、点字に対する画素の輝度より高い。いずれの場合でも、点字に対する画素の輝度において、ピークが現れる。
【００２８】
処理部２は、点字に対する画素の輝度より低い輝度の画素の出現度数をカウントし、出現度数が所定値以上か否かをチェックする。すなわち、原稿の表面を読み取ったときの点字の画素の輝度（輝度閾値１）より低い第１基準輝度Ｌ１以下の画素数をカウントする。、この画素数が所定値以上あるとき、表面を読み取ったと判断し、画素数が所定値未満のとき、表面ではないと判断する。なお、所定値は、予め設定されている。点字の大きさ、マス間および行間は、それぞれ標準的なサイズが決められており、１枚の原稿に形成される点字の数も決まる。そこで、この点字数に基づいて所定値が決定される。
【００２９】
続いて、処理部２は、点字に対する画素の輝度より高い輝度の画素の出現度数をカウントし、出現度数が所定値以上か否かをチェックする。すなわち、原稿の裏面を読み取ったときの点字の画素の輝度（輝度閾値２）より高い第２基準輝度Ｌ２以上の画素数をカウントする。この画素数が所定値以上あるとき、裏面を読み取ったと判断し、画素数が所定値未満のとき、裏面ではないと判断する。なお、この所定値は、上記の所定値と同じである。
【００３０】
処理部２は、２つの判断結果に基づいて、原稿の表面あるいは裏面を特定する。すなわち、第１基準輝度Ｌ１以下の画素数が所定値以上あり、かつ第２基準輝度Ｌ２以上の画素数が所定値未満であるとき、読取画像は原稿の表面のものとする。第１基準輝度Ｌ１以下の画素数が所定値未満であり、かつ第２基準輝度Ｌ２以上の画素数が所定値以上であるとき、読取画像は原稿の裏面のものとする。いずれの場合にも当てはまらないとき、処理部２は、点字の原稿でないと判断して、エラーを報知する。
【００３１】
処理部２は、原稿の表裏面を識別すると、原稿の表裏面に応じて点字の画像を抽出し、原稿の向きを判断する。図６に示すように、点字によって作成された文章では、一般的に１行毎に長短があり、各行の行頭は揃っているが、行末は１行毎に異なる。そのため、行頭と行末とでは、画像の分布に粗密が生じる。行頭では画像が密となり、行末では画像が粗となる。
【００３２】
そこで、処理部２は、点字の画像の位置に基づいて、読取画像から横書きされた点字の行末を特定して、原稿の向きを判断する。なお、点字の行末は、表面の読取画像でも裏面の読取画像でも、上記の特徴に変わりはない。
【００３３】
行末の特定に際して、処理部２は、読取画像から原稿の４辺に近い点字の画像を検出し、点字が少ない個所に対応する１辺を見つけ出す。そして、この１辺に向かって横書きされていると判断し、行末を特定する。
【００３４】
処理部２は、図６に示すように、１ページの原稿に対する読取画像を４辺に沿って分割する。縦方向（Ｙ方向）に、複数の領域、ここでは４つの領域Ｙ１〜Ｙ４ができる。横方向（Ｘ方向）に、４つの領域Ｘ１〜Ｘ４ができる。処理部２は、各領域に位置する点字の画像をカウントする。そして、Ｘ方向、Ｙ方向毎に各領域の点字数を比較して、各方向における点字数の少ない領域に基づいて行末を特定する。
【００３５】
まず、処理部２は、原稿の表面を読み取ったことを判断した後、輝度閾値１を超える画素を検出し、これらの画素から点字を抽出する（Ｓ４）。１文字の点字は、複数の点、例えば６つの点のパターンによって構成される。これにより、処理部２は、点字の画像を１文字ずつ抽出していく。
【００３６】
そして、処理部２は、Ｘ方向に４分割したとき、４つの領域での点字の画像数をカウントして、図７に示すようなＸ方向の点字数のヒストグラムを作成する（Ｓ７）。Ｙ方向についても、同様に図８に示すような点字数のヒストグラムを作成する。
【００３７】
図７のように、領域Ｘ４の点字数が最も少ないとき、処理部２は、領域Ｘ４に含まれる右辺が行末の方向であると特定する（Ｓ８）。領域Ｘ１の点字数が他の領域よりも少ないとき、処理部は、左辺が行末の方向であると特定し、原稿が上下逆に縦置きされていると判断する。
【００３８】
ところで、原稿全体において１行が短い場合、最も少ない点字数の領域が複数存在する。このような場合、処理部２は、領域Ｘ１の点字数と領域Ｘ４の点字数とを対比する。これら２つの領域の点字数の差を計算し、一方の領域の点字数が他方の領域の点字数よりも所定数以上少ないとき、一方の領域に行末が存在すると判断する。この差を計算する代わりに、領域Ｘ４の点字数と他の３つの領域Ｘ１〜Ｘ３の点字数の平均とを比較し、領域Ｘ４の点字数が平均数よりも少ないとき、領域Ｘ４に行末が存在すると判断する。なお、領域Ｘ１に対しても、同様に比較して判断する。
【００３９】
Ｘ１あるいはＸ４の領域の点字数が、最小でない、あるいは他の領域と比較して、差がないとき、処理部２は、Ｘ方向には行末が存在しないと判断する。このとき、処理部２は、Ｙ方向について、上記と同様に各領域の点字数に基づいて行末を判断する。領域Ｙ４の点字数が他の領域の点字数より少ないとき、処理部２は、下辺が行末の方向であると特定し、原稿が上側を右にして横置きされていると判断する。領域Ｙ１の点字数が他の領域の点字数より少ないとき、処理部は、上辺が行末の方向であると特定し、原稿が上側を左にして横置きされていると判断する。
【００４０】
原稿の裏面を読み取った場合、読取画像は白黒が反転した画像となり、点字の位置が左右逆になる。ただし、読取画像における行末の特徴に変わりはない。したがって、同様に処理部２は、各領域の点字数に基づいて行末を判断する。裏面が読取画像であると判断した場合、処理部２は、輝度閾値２を超えない画素を検出し、これらの画素から点字を抽出する（Ｓ６）。そして、Ｘ、Ｙ方向の点字数のヒストグラムを作成して（Ｓ７）、行末を特定する（Ｓ８）。
【００４１】
以上のようにして、原稿の表裏面および原稿の向きが特定されて、原稿の載置状態がわかる。処理部２は、原稿の表裏面および原稿の向きに応じて、読取画像に対する回転および鏡像反転といった画像処理を行う（Ｓ９）。この画像処理により、読み取った点字が横書きになる、すなわち行末の方向が右辺に向かうようになり、点字を正しく認識することが可能となる。
【００４２】
原稿の表面が下向きに載置されている場合、図９（ａ）に示すように、行末が右辺にくる向きに原稿が載置されているとき、横書きの点字を読み取った読取画像であるので、処理部２は、何も画像処理を行わない。図９（ｂ）に示すように、行末が上辺にくる向きに原稿が載置されているとき、処理部２は、読取画像を時計回りに９０度回転させる。図９（ｃ）に示すように、行末が左辺にくる向きに原稿が載置されているとき、処理部２は、読取画像を時計回りに１８０度回転させる。図９（ｄ）に示すように、行末が下辺にくる向きに原稿が載置されているとき、処理部２は、読取画像を時計回りに２７０度回転させる。
【００４３】
原稿の裏面が下向きに載置されている場合、読取画像は、表面に対する読取画像とは左右逆になる。領域Ｘ４の点字数が最も少ないとき、図１０（ａ）に示すように、行末が右辺にくる向きに原稿が載置されていると判断される。このとき、処理部２は、読取画像を時計回りに１８０度回転させる。
【００４４】
領域Ｘ１の点字数が最も少ないとき、図１０（ｃ）に示すように、行末が左辺にくる向きに原稿が載置されていると判断される。横書きの点字を読み取った読取画像であるので、処理部２は、何も画像処理を行わない。
【００４５】
領域Ｙ４の点字数が最も少ないとき、図１０（ｄ）に示すように、行末が下辺にくる向きに原稿が載置されているので、処理部２は、読取画像を時計回りに９０度回転させる。領域Ｙ１の点字数が最も少ないとき、図１０（ｂ）に示すように、行末が上辺にくる向きに原稿が載置されているので、処理部２は、読取画像を時計回りに２７０度回転させる。
【００４６】
裏面の読み取りの場合、処理部２は、読取画像の回転処理を行った後、鏡像反転する。このように画像処理された読取画像は、左右が逆転された画像となる。したがって、原稿の表裏面および原稿の向きに応じて、読取画像の回転さらには鏡像反転を行うことにより、最終的に右から左に横書きされた点字の画像が得られる。
【００４７】
画像処理後、処理部２は、読取画像から点字の画像の位置を特定し、点字の画像を１字ずつ認識する（Ｓ１０）。そして、処理部２は、点字の画像をパターンマッチング等の方法により１字ずつ墨字に変換して、ひらがなあるいはアルファベットからなる文字データを生成する。
【００４８】
この後、処理部２は、文字データを指示された形態で出力処理して（Ｓ１１）、ユーザに必要な情報を提供する。印刷が指示されると、処理部２は、文字データから画像データを作成して、プリンタ３に出力する。プリンタ３は、点字を墨字に変換した画像を印刷する。音声出力が指示されると、処理部２は、文字データから音声データを作成し、音響装置４に出力する。スピーカから点字で書かれた内容が音声出力される。データ送信が指示されると、処理部２は、通信装置５を通じて文字データを外部装置に送信する。外部装置では、受信した文字データに基づき、印刷、音声出力、データ送信といった処理を行い、ユーザの所望する形態で点字の原稿から得られた情報を提供する。
【００４９】
以上のように、点字が形成された原稿がどのような状態で原稿台に載置されても、原稿の表裏面や原稿の向きといった原稿の載置状態を特定することができる。そして、この原稿の状態に応じて読取画像を回転あるいは鏡像反転することにより、点字を認識可能なように横書きされた読取画像を生成できる。したがって、読み取った画像から正しく点字を認識することができ、ユーザにとって使い勝手のよい点字処理装置を実現することができる。また、載置された原稿の読取面が表面あるいは裏面であるかの検出および原稿の向きが縦置きあるいは横置きかの検出において、光センサ等の検出センサを用いなくてもよく、部品点数の増加を抑えることができる。
【００５０】
なお、本発明は、上記実施形態に限定されるものではなく、本発明の範囲内で上記実施形態に多くの修正および変更を加え得ることは勿論である。点字処理装置は、通信装置を有するスキャナであってもよい。このスキャナに、プリンタ、音響装置が接続される。
【図面の簡単な説明】
【００５１】
【図１】本発明の点字処理装置の概略構成を示すブロック図
【図２】（ａ）原稿の表面を下向きにして載置した状態を示す図、（ｂ）表面の読取画像を示す図、（ｃ）点字の画像を含む読取画像の輝度の分布を示す図
【図３】（ａ）原稿の裏面を下向きにして載置した状態を示す図、（ｂ）裏面の読取画像を示す図、（ｃ）点字の画像を含む読取画像の輝度の分布を示す図
【図４】点字原稿の読取処理のフローチャート
【図５】（ａ）原稿の表面を読み取ったときの輝度毎の画素の出現度合いのヒストグラムを示す図、（ｂ）原稿の裏面を読み取ったときの輝度毎の画素の出現度合いのヒストグラムを示す図
【図６】点字が形成された原稿を示す図
【図７】横方向に４分割した各領域の点字数のヒストグラムを示す図
【図８】縦方向に４分割した各領域の点字数のヒストグラムを示す図
【図９】原稿の表面の読取画像において、原稿の向きに応じた読取画像の回転を説明するための図
【図１０】原稿の裏面の読取画像において、原稿の向きに応じた読取画像の回転を説明するための図
【符号の説明】
【００５２】
１    読取部
２    処理部
３    プリンタ
４    音響装置
５    通信装置
１０    原稿台
１１    原稿
Ａ    表面
Ｂ    裏面
【図１】
2010081402.tif 000003
【図２】
2010081402.tif 000004
【図３】
2010081402.tif 000005
【図４】
2010081402.tif 000006
【図５】
2010081402.tif 000007
【図６】
2010081402.tif 000008
【図７】
2010081402.tif 000009
【図８】
2010081402.tif 000010
【図９】
2010081402.tif 000011
【図１０】
2010081402.tif 000012